(57)【特許請求の範囲】
【請求項１】
録画機器としての論理アドレスが割り当てられた第１録画装置と、録画機器以外としての論理アドレスが割り当てられた第２録画装置とがネットワークを介して接続されている前記第１録画装置を構成する録画装置であって、
機器の種類ごとに取得可能な論理アドレス数が決められている前記ネットワークを介して制御信号の伝送を行う通信部と、
映像データおよび音声データを記憶する記憶部と、
前記記憶部の空き容量が所定値を下回ったことに基づいて、自身の録画機器としての論理アドレスの割り当てを外して、空き容量が所定値を下回らない前記第２録画装置を録画機器としての論理アドレスに割り当てる切り替え制御を行う制御部とを備える、録画装置。
【請求項２】
前記制御部は、複数の前記第２録画装置の中で空き容量が多い前記第２録画装置を録画機器としての論理アドレスに割り当てるように構成されている、請求項１に記載の録画装置。
【請求項３】
前記通信部は、所定のインターフェース規格により接続された複数の機器により構成され機器の種類に対応した論理アドレスの数に対して機器の種類ごとに上限が決められているネットワークに接続可能に構成されており、
前記制御部は、前記ネットワーク上に接続された録画機器としての録画機能に対応した論理アドレスを取得している録画装置の数と、録画機能に対応した論理アドレスの数の上限とに基づいて、録画機能に対応した論理アドレスから録画機器以外としての録画機能に対応した論理アドレス以外の論理アドレスを取得し直すか否かを判断するように構成されている、請求項１または２に記載の録画装置。
【請求項４】
前記制御部は、録画機能に対応した論理アドレスから録画機能に対応した論理アドレス以外の論理アドレスを取得し直す際に、前記ネットワークから一時離脱し、前記ネットワークに再接続することにより、録画機能に対応した論理アドレスから録画機能に対応した論理アドレス以外の論理アドレスを取得し直す制御を行うように構成されている、請求項３に記載の録画装置。
【請求項５】
前記制御部は、前記記憶部の空き容量および前記ネットワーク上の録画装置が取得可能な録画機能に対応した論理アドレス以外の論理アドレスの空き数の両方に基づいて、録画機能に対応した論理アドレスから録画機能に対応した論理アドレス以外の論理アドレスを取得し直すか否かを判断するように構成されている、請求項３または４に記載の録画装置。
【請求項６】
前記制御部は、前記録画装置が前記ネットワークに接続されていない状態から前記録画装置が前記ネットワークに接続された状態になった際に、前記記憶部の空き容量に基づいて、録画機能に対応した論理アドレス以外の論理アドレスを取得するよう制御するとともに、一定時間後、録画機能に対応した論理アドレスの空き数に基づいて、録画機能に対応した論理アドレスを取得し直す制御を行うように構成されている、請求項３〜５のいずれか１項に記載の録画装置。
【請求項７】
前記制御部は、前記記憶部の空き容量が無くなった場合に、録画機能に対応した論理アドレスから録画機能に対応した論理アドレス以外の論理アドレスを取得し直す制御を行うように構成されている、請求項３〜６のいずれか１項に記載の録画装置。
【請求項８】
前記インターフェース規格は、機器間を、音声データ、映像データおよび制御信号を伝送可能な所定のケーブルにより接続して、前記制御信号により機器間の連携動作を行うことが可能な所定のインターフェース規格である、請求項３〜７のいずれか１項に記載の録画装置。
【請求項９】
録画機器としての論理アドレスが割り当てられた第１録画装置と、前記第１録画装置とネットワークを介して接続され、録画機器以外としての論理アドレスが割り当てられた第２録画装置とを含む複数の機器を備え、
前記第１録画装置は、
機器の種類ごとに取得可能な論理アドレス数が決められている前記ネットワークを介して制御信号の伝送を行う通信部と、映像データおよび音声データを記憶する記憶部と、前記記憶部の空き容量が所定値を下回ったことに基づいて、自身の録画機器としての論理アドレスの割り当てを外して、空き容量が所定値を下回らない前記第２録画装置を録画機器としての論理アドレスに割り当てる切り替え制御を行う制御部とを含む、ネットワークシステム。
【請求項１０】
録画機器としての論理アドレスが割り当てられた第１録画装置と、録画機器以外としての論理アドレスが割り当てられた第２録画装置とを機器の種類ごとに取得可能な論理アドレス数が決められているネットワークを介して接続するステップと、
映像データおよび音声データを記憶する記憶部の空き容量が所定値を下回ったことに基づいて、前記第１録画装置の録画機器としての論理アドレスの割り当てを外して、空き容量が所定値を下回らない前記第２録画装置を録画機器としての論理アドレスに割り当てる切り替えを行うステップとを備える、録画装置による論理アドレスの取得方法。
【発明の詳細な説明】
【技術分野】
【０００１】
この発明は、録画装置、ネットワークシステム、および録画装置による論理アドレスの取得方法に関し、特に機器の種類に対応した論理アドレスの数に対して機器の種類ごとに上限が決められているネットワークに接続可能な録画装置、そのような録画装置を備えたネットワークシステム、およびそのような録画装置による論理アドレスの取得方法に関する。
【背景技術】
【０００２】
従来、機器の種類に対応した論理アドレスの数に対して機器の種類ごとに上限が決められているＨＤＭＩ接続などによるネットワークに接続可能な電子機器が知られている（たとえば、特許文献１参照）。
【０００３】
上記特許文献１には、機器の種類に対応したロジカルアドレス（論理アドレス）の数に対して機器の種類ごとに上限が決められているＨＤＭＩ接続によるネットワークに接続可能なテレビジョン受信装置が開示されている。このテレビジョン受信装置は、ネットワークに接続可能なＨＤＭＩ端子（通信部）と、機器の種類に対応したロジカルアドレスに空きができた場合に、機器の種類に対応したロジカルアドレスを取得していない機器に対して機器の種類に対応したロジカルアドレスを取得させるように制御する通信制御部（制御部）とを備えている。また、上記特許文献１のテレビジョン受信装置では、明記はされていないが、ユーザー自らが操作することによって、機器の種類に対応したロジカルアドレスを取得済みの機器をネットワークから離脱させて、機器の種類に対応したロジカルアドレスに空きを作るものと考えられる。
【先行技術文献】
【特許文献】
【０００４】
【特許文献１】特開２００９−２６７８２９号公報
【発明の概要】
【発明が解決しようとする課題】
【０００５】
しかしながら、上記特許文献１に記載のテレビジョン装置では、機器の種類に対応したロジカルアドレス（論理アドレス）を未取得の他の機器に、機器の種類に対応したロジカルアドレスを取得させるためには、ユーザー自らの操作により、機器の種類に対応したロジカルアドレスを取得済みの機器をネットワークから離脱させる必要があるため、ユーザーに操作負担がかかるという問題点がある。
【０００６】
この発明は、上記のような課題を解決するためになされたものであり、この発明の1つの目的は、ユーザーに操作負担をかけることなく、録画機能に対応した論理アドレスを取得していない他の録画装置により録画機能に対応した論理アドレスを取得可能な状態にすることが可能な録画装置、そのような録画装置を備えたネットワークシステム、およびそのような録画装置による論理アドレスの取得方法を提供することである。
【課題を解決するための手段および発明の効果】
【０００７】
この発明の第１の局面による録画装置は、録画機器としての論理アドレスが割り当てられた第１録画装置と、録画機器以外としての論理アドレスが割り当てられた第２録画装置とがネットワークを介して接続されている第１録画装置を構成する録画装置であって、機器の種類ごとに取得可能な論理アドレス数が決められているネットワークを介して制御信号の伝送を行う通信部と、映像データおよび音声データを記憶する記憶部と、記憶部の空き容量が所定値を下回ったことに基づいて、自身の録画機器としての論理アドレスの割り当てを外して、空き容量が所定値を下回らない第２録画装置を録画機器としての論理アドレスに割り当てる切り替え制御を行う制御部とを備える。
【０００８】
この第１の局面による録画装置では、記憶部の空き容量に基づいて、録画機能に対応した論理アドレスから録画機能に対応した論理アドレス以外の論理アドレスを取得し直すよう制御する制御部を設けることによって、たとえば、記憶部の空き容量が少なくなった場合、ユーザーが自ら操作することなく、制御部により、録画機能に対応した論理アドレスが自動的に解放されるので、ユーザーに操作負担をかけることなく、その解放された録画機能に対応した論理アドレスを、録画機能に対応した論理アドレスを取得していない他の録画装置により取得可能な状態にすることができる。また、この第１の局面による録画装置において、好ましくは、制御部は、複数の第２録画装置の中で空き容量が多い第２録画装置を録画機器としての論理アドレスに割り当てるように構成されている。
【０００９】
この第１の局面による録画装置において、好ましくは、通信部は、所定のインターフェース規格により接続された複数の機器により構成され機器の種類に対応した論理アドレスの数に対して機器の種類ごとに上限が決められているネットワークに接続可能に構成されており、制御部は、ネットワーク上に接続された録画機器としての録画機能に対応した論理アドレスを取得している録画装置の数と、録画機能に対応した論理アドレスの数の上限とに基づいて、録画機能に対応した論理アドレスから録画機器以外としての録画機能に対応した論理アドレス以外の論理アドレスを取得し直すか否かを判断するように構成されている。このように構成すれば、制御部により、録画機能に対応した論理アドレスを取得している録画装置の数と、録画機能に対応した論理アドレスの数の上限とに基づいて、録画機能に対応した論理アドレスに空きがあるか否かを容易に判断することができる。これにより、録画機能に対応した論理アドレスの空きの有無に基づいて、容易に、録画機能に対応した論理アドレスから録画機能に対応した論理アドレス以外の論理アドレスを取得し直すか否かを判断することができる。
【００１０】
上記通信部が、所定のインターフェース規格により接続された複数の機器により構成され機器の種類に対応した論理アドレスの数に対して機器の種類ごとに上限が決められているネットワークに接続可能な構成において、好ましくは、制御部は、録画機能に対応した論理アドレスから録画機能に対応した論理アドレス以外の論理アドレスを取得し直す際に、ネットワークから一時離脱し、ネットワークに再接続することにより、録画機能に対応した論理アドレスから録画機能に対応した論理アドレス以外の論理アドレスを取得し直す制御を行うように構成されている。このように構成すれば、録画機能に対応した論理アドレスから録画機能に対応した論理アドレス以外の論理アドレスを取得し直す際に、制御部により、ネットワークから一時離脱されるので、取得している録画機能に対応した論理アドレスを確実に解放し、その後録画機能に対応した論理アドレス以外の論理アドレスを取得し直すことができる。
【００１１】
上記通信部が、所定のインターフェース規格により接続された複数の機器により構成され機器の種類に対応した論理アドレスの数に対して機器の種類ごとに上限が決められているネットワークに接続可能な構成において、好ましくは、制御部は、記憶部の空き容量およびネットワーク上の録画装置が取得可能な録画機能に対応した論理アドレス以外の論理アドレスの空き数の両方に基づいて、録画機能に対応した論理アドレスから録画機能に対応した論理アドレス以外の論理アドレスを取得し直すか否かを判断するように構成されている。このように構成すれば、制御部により、記憶部の空き容量に加えて、録画機能に対応した論理アドレス以外の論理アドレスの空き数にも基づいて、論理アドレスを取得し直すか否かを判断することができる。これにより、たとえば、制御部により、録画機能に対応した論理アドレス以外の論理アドレスの空きが無い場合には、録画機能に対応した論理アドレスから録画機能に対応した論理アドレス以外の論理アドレスを取得し直さないように判断することができる。
【００１２】
上記通信部が、所定のインターフェース規格により接続された複数の機器により構成され機器の種類に対応した論理アドレスの数に対して機器の種類ごとに上限が決められているネットワークに接続可能な構成において、好ましくは、制御部は、録画装置がネットワークに接続されていない状態から録画装置がネットワークに接続された状態になった際に、記憶部の空き容量に基づいて、録画機能に対応した論理アドレス以外の論理アドレスを取得するよう制御するとともに、一定時間後、録画機能に対応した論理アドレスの空き数に基づいて、録画機能に対応した論理アドレスを取得し直す制御を行うように構成されている。このように構成すれば、通信部がネットワークに接続された後、一旦、録画機能に対応した論理アドレス以外の論理アドレスが取得されるので、他の録画装置に録画機能に対応した論理アドレスを取得させやすくすることができる。また、録画機能に対応した論理アドレス以外の論理アドレスを取得した後の一定時間後、制御部により、録画機能に対応した論理アドレスの空き数に基づいて、録画機能に対応した論理アドレスを取得することによって、所定の場合に、録画機能に対応した論理アドレスを取得してネットワーク上で録画機器として機能することができる。
【００１４】
上記通信部が、所定のインターフェース規格により接続された複数の機器により構成され機器の種類に対応した論理アドレスの数に対して機器の種類ごとに上限が決められているネットワークに接続可能な構成において、好ましくは、制御部は、記憶部の空き容量が無くなった場合に、録画機能に対応した論理アドレスから録画機能に対応した論理アドレス以外の論理アドレスを取得し直す制御を行うように構成されている。このように構成すれば、記憶部に空き容量が無くなり録画機能を発揮できなくなった場合に、録画機能に対応した論理アドレス以外の論理アドレスを取得することができる。これにより、録画機能に対応した論理アドレス以外の論理アドレスを取得している他の録画装置に、録画機能に対応した論理アドレスを取得させてネットワーク上で録画機能を有効に機能させることができる。
【００１５】
上記通信部が、所定のインターフェース規格により接続された複数の機器により構成され機器の種類に対応した論理アドレスの数に対して機器の種類ごとに上限が決められているネットワークに接続可能な構成において、好ましくは、インターフェース規格は、機器間を、音声データ、映像データおよび制御信号を伝送可能な所定のケーブルにより接続して、制御信号により機器間の連携動作を行うことが可能な所定のインターフェース規格である。なお、本発明の所定のインターフェース規格としては、たとえば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格がある。このように構成すれば、ＨＤＭＩなどの所定のインターフェース規格に対応した通信部により、録画装置と他の機器との間で、音声データ、映像データのみならず制御信号も容易に送信することができるので、容易に録画装置と他の機器とを連携させることができる。
【００１６】
この発明の第２の局面によるネットワークシステムは、録画機器としての論理アドレスが割り当てられた第１録画装置と、第１録画装置とネットワークを介して接続され、録画機器以外としての論理アドレスが割り当てられた第２録画装置とを含む複数の機器を備え、第１録画装置は、機器の種類ごとに取得可能な論理アドレス数が決められているネットワークを介して制御信号の伝送を行う通信部と、映像データおよび音声データを記憶する記憶部と、記憶部の空き容量が所定値を下回ったことに基づいて、自身の録画機器としての論理アドレスの割り当てを外して、空き容量が所定値を下回らない第２録画装置を録画機器としての論理アドレスに割り当てる切り替え制御を行う制御部とを含む。
【００１７】
この第２の局面によるネットワークシステムでは、記憶部の空き容量に基づいて、録画機能に対応した論理アドレスから録画機能に対応した論理アドレス以外の論理アドレスを取得し直すよう制御する制御部を含む録画装置を設けることによって、たとえば、記憶部の空き容量が少なくなった場合、ユーザーが自ら操作することなく、録画装置の制御部により、録画機能に対応した論理アドレスが自動的に解放されるので、ユーザーに操作負担をかけることなく、その解放された録画機能に対応した論理アドレスを、録画機能に対応した論理アドレスを取得していない他の録画装置により取得可能な状態にすることができる。
【００１８】
この発明の第３の局面による録画装置による論理アドレスの取得方法は、録画機器としての論理アドレスが割り当てられた第１録画装置と、録画機器以外としての論理アドレスが割り当てられた第２録画装置とを機器の種類ごとに取得可能な論理アドレス数が決められているネットワークを介して接続するステップと、映像データおよび音声データを記憶する記憶部の空き容量が所定値を下回ったことに基づいて、第１録画装置の録画機器としての論理アドレスの割り当てを外して、空き容量が所定値を下回らない第２録画装置を録画機器としての論理アドレスに割り当てる切り替えを行うステップとを備える。
【００１９】
この第３の局面による録画装置による論理アドレスの取得方法では、記憶部の空き容量に基づいて、録画機能に対応した論理アドレスから録画機能に対応した論理アドレス以外の論理アドレスを取得し直すよう制御する制御部を設けることによって、たとえば、記憶部の空き容量が少なくなった場合、ユーザーが自ら操作することなく、録画機能に対応した論理アドレスが自動的に解放されるので、ユーザーに操作負担をかけることなく、その解放された録画機能に対応した論理アドレスを、録画機能に対応した論理アドレスを取得していない他の録画装置により取得可能な状態にすることができる。
【図面の簡単な説明】
【００２０】
【図１】本発明の第１および第２実施形態によるレコーダを備えるネットワークシステムの全体構成を示した概略図である。
【図２】本発明の第１および第２実施形態によるレコーダが接続されるＣＥＣリンク上の論理アドレスの対応表を示した図である。
【図３】本発明の第１および第２実施形態によるＴＶの構成を示したブロック図である。
【図４】本発明の第１および第２実施形態によるレコーダの構成を示したブロック図である。
【図５】本発明の第１実施形態によるレコーダが論理アドレスを取得し直す際の処理を説明するためのフローチャートである。
【図６】本発明の第１実施形態によるレコーダがＣＥＣリンク接続時に論理アドレスを取得する際の処理を説明するためのフローチャートである。
【図７】本発明の第２実施形態によるレコーダが論理アドレスを取得し直す際の処理を説明するためのフローチャートである。
【図８】本発明の第２実施形態によるレコーダが論理アドレスを取得し直す際の処理を説明するための図である。
【発明を実施するための形態】
【００２１】
以下、本発明の実施形態を図面に基づいて説明する。
【００２２】
（第１実施形態）
まず、図１を参照して、本発明の第1実施形態によるレコーダ６を備えるネットワークシステム１の構成について説明する。
【００２３】
本発明の第１実施形態によるレコーダ６を備えるネットワークシステム１は、図１に示すように、ＴＶ２と、ＨＤＭＩハブ３と、５台のレコーダ４、５、６、７および８により主として構成されている。機器間は、音声データ、映像データおよび制御信号を伝送可能なＨＤＭＩ規格に対応したケーブルにより接続されており、制御信号により機器間の連携動作が行われるように構成されている。具体的には、レコーダ４、５および６は、ＨＤＭＩハブ３を介してＴＶ２に接続されている。また、レコーダ７および８は、直接ＴＶ２に接続されている。これにより、ＴＶ２、レコーダ４、５、６、７および８の間でＣＥＣ（Ｃｏｎｓｕｍｅｒ  Ｅｌｅｃｔｒｏｎｉｃｓ  Ｃｏｎｔｒｏｌ）リングが構成されている。なお、ＨＤＭＩ規格は、本発明の「所定のインターフェース規格」の一例であり、ＣＥＣリンクは、本発明の「ネットワーク」の一例である。
【００２４】
ＣＥＣリンクでは、図２に示すように、機器の機能ごとに対応する論理アドレスが決められている。機器の機能としてのＴＶ、Ｒｅｃｏｒｄｉｎｇ  Ｄｅｖｉｃｅ、Ｔｕｎｅｒ、Ｐｌａｙｂａｃｋ  Ｄｅｖｉｃｅ、Ａｕｄｉｏ  Ｓｙｓｔｅｍ、Ｒｅｓｅｒｖｅｄ、およびＵｎｒｅｇｉｓｔｅｒｅｄに対して、それぞれ対応する論理アドレス０〜１５が割り当てられている。また、各機能ごとに論理アドレスの数は制限されている。たとえば、録画機能では、Ｒｅｃｏｒｄｉｎｇ  Ｄｅｖｉｃｅ１に対応する論理アドレス「１」、Ｒｅｃｏｒｄｉｎｇ  Ｄｅｖｉｃｅ２に対応する論理アドレス「２」およびＲｅｃｏｒｄｉｎｇ  Ｄｅｖｉｃｅ３に対応する論理アドレス「９」が割り当てられており、取得できる論理アドレスの数の上限は３つである。また、その他の機能も同様にして取得できる論理アドレスの数は制限されている。
【００２５】
ＴＶ２は図３に示すように、チューナー２１と、映像処理部２２と、ＨＤＭＩ通信部２３と、表示部２４と、制御部２５とを備えている。ＴＶ２は、ＨＤＭＩ通信部２３によりＣＥＣリンクに接続されている。
【００２６】
ＴＶ２のチューナー２１は、テレビジョン信号を受信すように構成されている。また、映像処理部２２は、テレビジョン信号を表示部２４で表示可能なように処理するように構成されている。また、表示部２４は、処理された映像を表示するように構成されている。
【００２７】
ＴＶ２の制御部２５は、ＴＶ２の各部の制御を行うように構成されている。
【００２８】
５台のレコーダ４、５、６、７および８は、互いに、同様の構成を有している。ここでは、代表してレコーダ６について説明する。レコーダ６は図４に示すように、チューナー６１と、映像処理部６２と、ＨＤＭＩ通信部６３と、映像データおよび音声データを記憶するＨＤＤ（ハードディスクドライブ）６４と、制御部６５とを備えている。レコーダ６は、ＨＤＭＩ通信部６３によりＣＥＣリンクに接続されている。なお、ＨＤＭＩ通信部６３は、本発明の「通信部」の一例であり、ＨＤＤ６４は、本発明の「記憶部」の一例である。
【００２９】
レコーダ６のチューナー６１は、テレビジョン信号を受信するように構成されている。また、映像処理部６２は、テレビジョン信号をＨＤＤ６４で録画可能なように処理するように構成されている。また、ＨＤＤ６４は、処理された映像を録画するように構成されている。
【００３０】
レコーダ６の制御部６５は、レコーダ６の各部の制御を行うように構成されている。また、制御部６５は、後述する論理アドレスを取得し直す処理（図５参照）およびネットワーク接続時の論理アドレスを取得する処理（図６参照）を実行することが可能なように構成されている。
【００３１】
また、図１では、レコーダ４および５が、供に、Ｐｌａｙｂａｃｋ  Ｄｅｖｉｃｅの論理アドレスを取得している状態を示している。また、レコーダ６、７および８の３つが、Ｒｅｃｏｒｄｉｎｇ  Ｄｅｖｉｃｅの論理アドレスを取得している状態を示している。すなわち、図１に示した例では、レコーダ４および５は、ＣＥＣリンク上においてＰｌａｙｂａｃｋ  Ｄｅｖｉｃｅとして機能し、レコーダ６、７および８は、Ｒｅｃｏｒｄｉｎｇ  Ｄｅｖｉｃｅとして機能している状態が示されている。
【００３２】
なお、レコーダ４および５は、Ｒｅｃｏｒｄｉｎｇ  Ｄｅｖｉｃｅの論理アドレスを取得可能であるが、Ｒｅｃｏｒｄｉｎｇ  Ｄｅｖｉｃｅの論理アドレスの上限が３つであり、空きがないため、Ｒｅｃｏｒｄｉｎｇ  Ｄｅｖｉｃｅの論理アドレス以外のＰｌａｙｂａｃｋ  Ｄｅｖｉｃｅの論理アドレスを取得している。
【００３３】
次に、図５を参照して、本発明の第１実施形態によるレコーダ６の制御部６５により実行されるＲｅｃｏｒｄｉｎｇ  Ｄｅｖｉｃｅの論理アドレスを取得し直す処理について説明する。第１実施形態では、制御部６５は、録画動作終了後に、論理アドレスを取得し直す処理を実行する。なお、この場合、レコーダ６が本発明の「録画装置」の一例である。
【００３４】
図５のステップＳ１において、制御部６５は、ＨＤＤ６４の記憶容量の空きが無いか否かを判断し、空きが有れば、そのまま論理アドレスを取得し直す制御を終了する。すなわち、ＨＤＤ６４の記憶容量に空きが有ればＲｅｃｏｒｄｉｎｇ  Ｄｅｖｉｃｅの論理アドレスを取得した状態を維持する。一方、ＨＤＤ６４の空きが無ければ、ステップＳ２において、制御部６５は、Ｒｅｃｏｒｄｉｎｇ  Ｄｅｖｉｃｅの論理アドレスを取得しているレコーダの数を確認する。
【００３５】
次に、ステップＳ３において、制御部６５は、Ｒｅｃｏｒｄｉｎｇ  Ｄｅｖｉｃｅの論理アドレスを取得しているレコーダの数が自身を含め上限である３台であるか否かを判断し、３台未満であればそのまま論理アドレスを取得し直す制御を終了する。すなわち、制御部６５は、Ｒｅｃｏｒｄｉｎｇ  Ｄｅｖｉｃｅの論理アドレスに空きが有れば論理アドレスを取得し直す制御を行わずに、Ｒｅｃｏｒｄｉｎｇ  Ｄｅｖｉｃｅの論理アドレスを取得している状態を維持する。一方、Ｒｅｃｏｒｄｉｎｇ  Ｄｅｖｉｃｅの論理アドレスを取得しているレコーダの数が自身を含め上限である３台であれば、ステップＳ４において、制御部６５は、Ｐｌａｙｂａｃｋ  Ｄｅｖｉｃｅの論理アドレスを取得しているレコーダの数を確認する。
【００３６】
次に、ステップＳ５において、制御部６５は、Ｐｌａｙｂａｃｋ  Ｄｅｖｉｃｅの論理アドレスを取得している装置の数が上限である３台未満であるか否かを判断し、３台であればステップＳ９に進む。一方、３台未満であればステップＳ６に進む。
【００３７】
ステップＳ６において、制御部６５は、ＣＥＣリンクから一時離脱するよう制御を行う。これにより、Ｒｅｃｏｒｄｉｎｇ  Ｄｅｖｉｃｅの論理アドレスを解放する。その後、ステップＳ７において、制御部６５は、ＣＥＣリンクへ再接続をするよう制御を行う。そして、ステップＳ８において、制御部６５は、Ｐｌａｙｂａｃｋ  Ｄｅｖｉｃｅの論理アドレスを取得するよう制御を行い、論理アドレスを取得し直す制御を終了する。すなわち、制御部は、ＣＥＣリンクから一時離脱してから、再接続することによりＲｅｃｏｒｄｉｎｇ  Ｄｅｖｉｃｅの論理アドレスを取得している状態からＰｌａｙｂａｃｋ  Ｄｅｖｉｃｅの論理アドレスを取得している状態になるよう制御を行う。
【００３８】
また、Ｐｌａｙｂａｃｋ  Ｄｅｖｉｃｅの論理アドレスを取得している装置の数が上限である３台である場合には、ステップＳ９において、制御部６５は、Ｔｕｎｅｒの論理アドレスを取得している装置の数が上限である４台未満であるか否かを判断する。４台であればそのまま論理アドレスを取得し直す制御を終了する。すなわち、制御部６５は、Ｐｌａｙｂａｃｋ  Ｄｅｖｉｃｅの論理アドレスおよびＴｕｎｅｒの論理アドレスに空きが無ければ論理アドレスを取得し直す制御を行わずに、Ｒｅｃｏｒｄｉｎｇ  Ｄｅｖｉｃｅの論理アドレスを取得している状態を維持する。一方、４台未満であればステップＳ１０に進む。
【００３９】
ステップＳ１０において、制御部６５は、ＣＥＣリンクから一時離脱するよう制御を行う。これにより、Ｒｅｃｏｒｄｉｎｇ  Ｄｅｖｉｃｅの論理アドレスを解放する。その後、ステップＳ１１において、制御部６５は、ＣＥＣリンクへ再接続をするよう制御を行う。そして、ステップＳ１２において、制御部６５は、Ｔｕｎｅｒの論理アドレスを取得するよう制御を行い、論理アドレスを取得し直す制御を終了する。すなわち、制御部６５は、ＣＥＣリンクから一時離脱してから、再接続することによりＲｅｃｏｒｄｉｎｇ  Ｄｅｖｉｃｅの論理アドレスを取得している状態からＴｕｎｅｒの論理アドレスを取得している状態になるよう制御を行う。
【００４０】
次に、図６を参照して、本発明の第１実施形態によるレコーダ６の制御部６５により実行されるＣＥＣリンク接続時に、レコーダ６の制御部６５が、論理アドレスを取得する際の処理について説明する。
【００４１】
図６のステップＳ２１において、制御部６５は、ＨＤＤ６４の記憶容量の空きが無いか否かを判断する。空きが有ればステップＳ２８に進み、Ｒｅｃｏｒｄｉｎｇ  Ｄｅｖｉｃｅの論理アドレスを取得し、論理アドレスを取得する制御を終了する。すなわち、ＨＤＤ６４の記憶容量に空きが有ればＲｅｃｏｒｄｉｎｇ  Ｄｅｖｉｃｅの論理アドレスを取得する。一方、ＨＤＤ６４の空きが無ければステップＳ２２に進む。
【００４２】
ステップＳ２２において、制御部６５は、Ｐｌａｙｂａｃｋ  Ｄｅｖｉｃｅの論理アドレスを取得するよう制御を行う。すなわち、制御部６５は、Ｒｅｃｏｒｄｉｎｇ  Ｄｅｖｉｃｅの論理アドレスではなくＰｌａｙｂａｃｋ  Ｄｅｖｉｃｅの論理アドレスを取得するよう制御を行う。ステップＳ２３において、制御部６５は、一定時間経過したか否かを判断し、一定時間経過するまでこの判断を繰り返す。一定時間経過すると、ステップＳ２４において、制御部６５は、Ｒｅｃｏｒｄｉｎｇ  Ｄｅｖｉｃｅの論理アドレスを取得しているレコーダの数を確認する。
【００４３】
次に、ステップＳ２５において、制御部６５は、Ｒｅｃｏｒｄｉｎｇ  Ｄｅｖｉｃｅの論理アドレスを取得しているレコーダの数が上限である３台未満であるか否かを判断し、３台であればそのまま論理アドレスを取得する制御を終了する。すなわち、制御部６５は、Ｒｅｃｏｒｄｉｎｇ  Ｄｅｖｉｃｅの論理アドレスに空きが無ければＰｌａｙｂａｃｋ  Ｄｅｖｉｃｅの論理アドレスからＲｅｃｏｒｄｉｎｇ  Ｄｅｖｉｃｅの論理アドレスを取得し直す制御を行わない。一方、Ｒｅｃｏｒｄｉｎｇ  Ｄｅｖｉｃｅの論理アドレスを取得しているレコーダの数が３台未満であればステップＳ２６に進む。
【００４４】
ステップＳ２６において、制御部６５は、ＣＥＣリンクから一時離脱するよう制御を行う。これにより、Ｐｌａｙｂａｃｋ  Ｄｅｖｉｃｅの論理アドレスを解放する。その後、ステップＳ２７において、制御部６５は、ＣＥＣリンクへ再接続をするよう制御を行う。そして、ステップＳ２８において、制御部６５は、Ｒｅｃｏｒｄｉｎｇ  Ｄｅｖｉｃｅの論理アドレスを取得するよう制御を行い、論理アドレスを取得し直す制御を終了する。すなわち、制御部は、ＣＥＣリンクから一時離脱してから、再接続することによりＰｌａｙｂａｃｋ  Ｄｅｖｉｃｅの論理アドレスを取得している状態からＲｅｃｏｒｄｉｎｇ  Ｄｅｖｉｃｅの論理アドレスを取得している状態になるよう制御を行う。
【００４５】
第１実施形態では、ＨＤＤ６４の空き容量に基づいて、Ｒｅｃｏｒｄｉｎｇ  Ｄｅｖｉｃｅの論理アドレスからＰｌａｙｂａｃｋ  Ｄｅｖｉｃｅの論理アドレスを取得し直すよう制御する制御部６５を設けることによって、ＨＤＤ６４の空き容量が少なくなった場合、ユーザーが自ら操作することなく、制御部６５により、Ｒｅｃｏｒｄｉｎｇ  Ｄｅｖｉｃｅの論理アドレスが自動的に解放されるので、ユーザーに操作負担をかけることなく、その解放されたＲｅｃｏｒｄｉｎｇ  Ｄｅｖｉｃｅの論理アドレスを、Ｒｅｃｏｒｄｉｎｇ  Ｄｅｖｉｃｅの論理アドレスを取得していない他のレコーダにより取得可能な状態にすることができる。
【００４６】
また、第１実施形態では、制御部６５により、ＣＥＣリンク上に接続されたＲｅｃｏｒｄｉｎｇ  Ｄｅｖｉｃｅの論理アドレスを取得しているレコーダの数と、Ｒｅｃｏｒｄｉｎｇ  Ｄｅｖｉｃｅの論理アドレスの数の上限とに基づいて、Ｒｅｃｏｒｄｉｎｇ  Ｄｅｖｉｃｅの論理アドレスからＰｌａｙｂａｃｋ  Ｄｅｖｉｃｅの論理アドレスを取得し直すか否かを判断する。これにより、Ｒｅｃｏｒｄｉｎｇ  Ｄｅｖｉｃｅの論理アドレスを取得しているレコーダの数と、Ｒｅｃｏｒｄｉｎｇ  Ｄｅｖｉｃｅの論理アドレスの数の上限とに基づいて、Ｒｅｃｏｒｄｉｎｇ  Ｄｅｖｉｃｅの論理アドレスに空きがあるか否かを容易に判断することができるので、Ｒｅｃｏｒｄｉｎｇ  Ｄｅｖｉｃｅの論理アドレスの空きの有無に基づいて、容易に、Ｒｅｃｏｒｄｉｎｇ  Ｄｅｖｉｃｅの論理アドレスからＰｌａｙｂａｃｋ  Ｄｅｖｉｃｅの論理アドレスまたはＴｕｎｅｒの論理アドレスを取得し直すか否かを判断することができる。
【００４７】
また、第１実施形態では、制御部６５により、Ｒｅｃｏｒｄｉｎｇ  Ｄｅｖｉｃｅの論理アドレスからＰｌａｙｂａｃｋ  Ｄｅｖｉｃｅの論理アドレスまたはＴｕｎｅｒの論理アドレスを取得し直す際に、ＣＥＣリンクから一時離脱し、ＣＥＣリンクに再接続することにより、Ｒｅｃｏｒｄｉｎｇ  Ｄｅｖｉｃｅの論理アドレスからＰｌａｙｂａｃｋ  Ｄｅｖｉｃｅの論理アドレスまたはＴｕｎｅｒの論理アドレスを取得し直す制御を行うことによって、Ｒｅｃｏｒｄｉｎｇ  Ｄｅｖｉｃｅの論理アドレスからＰｌａｙｂａｃｋ  Ｄｅｖｉｃｅの論理アドレスまたはＴｕｎｅｒの論理アドレスを取得し直す際に、制御部６５により、ＣＥＣリンクから一時離脱されるので、取得しているＲｅｃｏｒｄｉｎｇ  Ｄｅｖｉｃｅの論理アドレスを確実に解放し、その後Ｐｌａｙｂａｃｋ  Ｄｅｖｉｃｅの論理アドレスまたはＴｕｎｅｒの論理アドレスを取得し直すことができる。
【００４８】
また、第１実施形態では、制御部６５により、ＨＤＤ６４の空き容量およびＣＥＣリンク上のＰｌａｙｂａｃｋ  Ｄｅｖｉｃｅの論理アドレスまたはＴｕｎｅｒの論理アドレスの空き数の両方に基づいて、Ｒｅｃｏｒｄｉｎｇ  Ｄｅｖｉｃｅの論理アドレスからＰｌａｙｂａｃｋ  Ｄｅｖｉｃｅの論理アドレスを取得し直すか否かを判断することによって、ＨＤＤ６４の空き容量に加えて、Ｐｌａｙｂａｃｋ  Ｄｅｖｉｃｅの論理アドレスまたはＴｕｎｅｒの論理アドレスの空き数にも基づいて、論理アドレスを取得し直すか否かを判断することができる。これにより、たとえば、制御部６５により、Ｐｌａｙｂａｃｋ  Ｄｅｖｉｃｅの論理アドレスの空きが無い場合には、Ｒｅｃｏｒｄｉｎｇ  Ｄｅｖｉｃｅの論理アドレスからＰｌａｙｂａｃｋ  Ｄｅｖｉｃｅの論理アドレスを取得しなおさないように判断することができる。
【００４９】
また、第１実施形態では、制御部６５により、レコーダ６がＣＥＣリンクに接続されていない状態からレコーダ６がＣＥＣリンクに接続された状態になった際に、ＨＤＤ６４の空き容量に基づいて、Ｐｌａｙｂａｃｋ  Ｄｅｖｉｃｅの論理アドレスを取得するよう制御するとともに、一定時間後、録画機能に対応した論理アドレスの空き数に基づいて、Ｒｅｃｏｒｄｉｎｇ  Ｄｅｖｉｃｅの論理アドレスを取得し直す制御を行うことにより、ＨＤＭＩ通信部６３がＣＥＣリンクに接続された後、一旦、Ｐｌａｙｂａｃｋ  Ｄｅｖｉｃｅの論理アドレスが取得されるので、他のレコーダにＲｅｃｏｒｄｉｎｇ  Ｄｅｖｉｃｅの論理アドレスを取得させやすくすることができる。また、Ｐｌａｙｂａｃｋ  Ｄｅｖｉｃｅの論理アドレスを取得した後の一定時間後、制御部により、Ｒｅｃｏｒｄｉｎｇ  Ｄｅｖｉｃｅの論理アドレスの空き数に基づいて、Ｒｅｃｏｒｄｉｎｇ  Ｄｅｖｉｃｅの論理アドレスを取得することによって、所定の場合に、Ｒｅｃｏｒｄｉｎｇ  Ｄｅｖｉｃｅの論理アドレスを取得して、ＣＥＣリンク上で録画機器として機能することができる。
【００５０】
また、第１実施形態では、制御部６５により、ＨＤＤ６４の空き容量が無くなった場合に、Ｒｅｃｏｒｄｉｎｇ  Ｄｅｖｉｃｅの論理アドレスからＰｌａｙｂａｃｋ  Ｄｅｖｉｃｅの論理アドレスまたはＴｕｎｅｒの論理アドレスを取得し直す制御を行うことにより、ＨＤＤ６４に空き容量が無くなり録画機能を発揮できなくなった場合に、Ｐｌａｙｂａｃｋ  Ｄｅｖｉｃｅの論理アドレスまたはＴｕｎｅｒの論理アドレスを取得することにより、Ｐｌａｙｂａｃｋ  Ｄｅｖｉｃｅの論理アドレスを取得している他のレコーダに、Ｒｅｃｏｒｄｉｎｇ  Ｄｅｖｉｃｅの論理アドレスを取得させてＣＥＣリンク上で録画機能を有効に機能させることができる。
【００５１】
また、第１実施形態では、インターフェース規格は、機器間を、音声データ、映像データおよび制御信号を伝送可能な所定のケーブルにより接続して、制御信号により機器間の連携動作を行うことが可能な所定のインターフェース規格であるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格である。ＨＤＭＩ規格であることにより、ＨＤＭＩ規格に対応した通信部により、録画装置と他の機器の間で、音声データ、映像データのみならず制御信号も容易に送信することができるので、容易に録画装置と他の機器とを連携させることができる。
【００５２】
（第２実施形態）
次に、図１、図４、図７および図８を参照して、本発明の第２実施形態によるレコーダ２０６について説明する。この第２実施形態では第１実施形態と異なり、複数の他のレコーダのうちの１つのレコーダに解放したＲｅｃｏｒｄｉｎｇ  Ｄｅｖｉｃｅの論理アドレスを取得させるための信号を送る構成について説明する。
【００５３】
図７および図８を参照して、図１の状態において、本発明の第２実施形態によるレコーダ２０６の制御部６５により実行されるＲｅｃｏｒｄｉｎｇ  Ｄｅｖｉｃｅの論理アドレスを取得し直す処理について説明する。第２実施形態では、制御部６５は、録画動作終了後に、論理アドレスを取得し直す処理を実行する。なお、この場合、レコーダ２０６が本発明の「録画装置」の一例であり、レコーダ４および５が本発明の「他の録画装置」の一例である。
【００５４】
図７のステップＳ３１において、制御部６５は、ＨＤＤ６４の記憶容量の空きが無いか否かを判断する。空きが有ればそのまま論理アドレスを取得し直す制御を終了する。すなわち、制御部６５は、ＨＤＤ６４の記憶容量に空きが有れば論理アドレスを取得し直す制御を行わず、Ｒｅｃｏｒｄｉｎｇ  Ｄｅｖｉｃｅの論理アドレスを取得した状態を維持する。一方、ＨＤＤ６４の記憶容量に空きが無ければステップＳ３２において、制御部６５は、Ｒｅｃｏｒｄｉｎｇ  Ｄｅｖｉｃｅの論理アドレスを取得しているレコーダの数を確認する。
【００５５】
次に、ステップＳ３３において、制御部６５は、Ｒｅｃｏｒｄｉｎｇ  Ｄｅｖｉｃｅの論理アドレスを取得しているレコーダの数が自身を含め上限である３台であるか否かを判断し、３台未満であればそのまま論理アドレスを取得し直す制御を終了する。すなわち、制御部６５は、Ｒｅｃｏｒｄｉｎｇ  Ｄｅｖｉｃｅの論理アドレスに空きが有れば論理アドレスを取得し直す制御を行わずに、Ｒｅｃｏｒｄｉｎｇ  Ｄｅｖｉｃｅの論理アドレスを取得している状態を維持する。一方、Ｒｅｃｏｒｄｉｎｇ  Ｄｅｖｉｃｅの論理アドレスを取得しているレコーダの数が自身を含め上限である３台であればステップＳ３４において、制御部６５は、Ｐｌａｙｂａｃｋ  Ｄｅｖｉｃｅの論理アドレスを取得しているレコーダの数を確認する。
【００５６】
次に、ステップＳ３５において、制御部６５は、Ｐｌａｙｂａｃｋ  Ｄｅｖｉｃｅの論理アドレスを取得している装置の数が上限である３台未満であるか否かを判断し、３台であればステップＳ４３に進む。一方、３台未満であればステップＳ３６に進む。
【００５７】
ステップＳ３６において、制御部６５は、図８に示すように、現在Ｐｌａｙｂａｃｋ  Ｄｅｖｉｃｅの論理アドレスを取得しているレコーダの有無を確認するための問合せコマンド３１をＣＥＣリンクに接続されている他の機器に送信する。
【００５８】
問合せコマンド３１を受信したＣＥＣリンクに接続されている他の機器は、Ｐｌａｙｂａｃｋ  Ｄｅｖｉｃｅの論理アドレスを取得しているレコーダであれば、ＨＤＤの空き容量情報を含む返答コマンドを返す。第２実施形態では、レコーダ４および５は、Ｐｌａｙｂａｃｋ  Ｄｅｖｉｃｅの論理アドレスを取得している。この場合、レコーダ４および５は、それぞれ、返答コマンド３２および３３を、レコーダ２０６に返す。
【００５９】
次に、ステップＳ３７において、制御部６５は、現在Ｐｌａｙｂａｃｋ  Ｄｅｖｉｃｅの論理アドレスを取得しているレコーダからの返答コマンド３２および３３を受信したか否かを判断し、受信しなければ、そのまま論理アドレスを取得し直す制御を終了する。すなわち、制御部６５は、Ｐｌａｙｂａｃｋ  Ｄｅｖｉｃｅの論理アドレスを取得しているレコーダがＣＥＣリンク上に無い場合には論理アドレスを取得し直す制御を行わずに、Ｒｅｃｏｒｄｉｎｇ  Ｄｅｖｉｃｅの論理アドレスを取得した状態を維持する。一方、受信すればステップＳ３８に進む。
【００６０】
ステップＳ３８において、制御部６５は、受け取った返答コマンド３２および３３に基づいて、Ｐｌａｙｂａｃｋ  Ｄｅｖｉｃｅの論理アドレスを取得しているレコーダ４および５のＨＤＤの空き容量を確認する。
【００６１】
次に、ステップＳ３９において、制御部６５は、ＣＥＣリンクから一時離脱するよう制御を行う。これにより、Ｒｅｃｏｒｄｉｎｇ  Ｄｅｖｉｃｅの論理アドレスを解放する。その後、ステップＳ４０において、制御部６５は、ＣＥＣリンクへ再接続をするよう制御を行う。そして、ステップＳ４１において、制御部６５は、Ｐｌａｙｂａｃｋ  Ｄｅｖｉｃｅの論理アドレスを取得するよう制御を行う。すなわち、制御部は、ＣＥＣリンクから一時離脱してから、再接続することによりＲｅｃｏｒｄｉｎｇ  Ｄｅｖｉｃｅの論理アドレスを取得している状態からＰｌａｙｂａｃｋ  Ｄｅｖｉｃｅの論理アドレスを取得している状態になるよう制御を行う。そして、ステップＳ４２に進む。
【００６２】
また、Ｐｌａｙｂａｃｋ  Ｄｅｖｉｃｅの論理アドレスを取得している装置の数が上限である３台である場合には、ステップＳ４３において、制御部６５は、Ｔｕｎｅｒの論理アドレスを取得している装置の数が上限である４台未満であるか否かを判断する。４台であればそのまま論理アドレスを取得し直す制御を終了する。すなわち、制御部６５は、Ｐｌａｙｂａｃｋ  Ｄｅｖｉｃｅの論理アドレスおよびＴｕｎｅｒの論理アドレスに空きがなければ論理アドレスを取得し直す制御を行わずに、Ｒｅｃｏｒｄｉｎｇ  Ｄｅｖｉｃｅの論理アドレスを取得している状態を維持する。一方、４台未満であればステップＳ４４に進む。
【００６３】
ステップＳ４４において、制御部６５は、図８に示すように、現在Ｐｌａｙｂａｃｋ  Ｄｅｖｉｃｅの論理アドレスを取得しているレコーダの有無を確認するための問合せコマンド３１をＣＥＣリンクに接続されている他の機器に送信する。
【００６４】
問合せコマンド３１を受信したＣＥＣリンクに接続されている他の機器は、Ｐｌａｙｂａｃｋ  Ｄｅｖｉｃｅの論理アドレスを取得しているレコーダであれば、ＨＤＤの空き容量情報を含む返答コマンドを返す。第２実施形態では、レコーダ４および５は、Ｐｌａｙｂａｃｋ  Ｄｅｖｉｃｅの論理アドレスを取得している。この場合、レコーダ４および５は、それぞれ、返答コマンド３２および３３を、レコーダ２０６に返す。
【００６５】
次に、ステップＳ４５において、制御部６５は、現在Ｐｌａｙｂａｃｋ  Ｄｅｖｉｃｅの論理アドレスを取得しているレコーダからの返答コマンドを受信したか否かを判断し、受信しなければ、そのまま論理アドレスを取得し直す制御を終了する。すなわち、制御部６５は、Ｐｌａｙｂａｃｋ  Ｄｅｖｉｃｅの論理アドレスを取得しているレコーダがＣＥＣリンク上に無い場合には論理アドレスを取得し直す制御を行わずに、Ｒｅｃｏｒｄｉｎｇ  Ｄｅｖｉｃｅの論理アドレスを取得した状態を維持する。一方、受信すれば、ステップＳ４６に進む。
【００６６】
ステップＳ４６において、制御部６５は、受け取った返答コマンド３２および３３に基づいて、Ｐｌａｙｂａｃｋ  Ｄｅｖｉｃｅの論理アドレスを取得しているレコーダ４および５のＨＤＤの空き容量を確認する。
【００６７】
ステップＳ４７において、制御部６５は、ＣＥＣリンクから一時離脱するよう制御を行う。これにより、Ｒｅｃｏｒｄｉｎｇ  Ｄｅｖｉｃｅの論理アドレスを解放する。その後、ステップＳ４８において、制御部６５は、ＣＥＣリンクへ再接続をするよう制御を行う。そして、ステップＳ４９において、制御部６５は、Ｔｕｎｅｒの論理アドレスを取得するよう制御を行う。すなわち、制御部は、Ｒｅｃｏｒｄｉｎｇ  Ｄｅｖｉｃｅの論理アドレスを取得している状態からＴｕｎｅｒの論理アドレスを取得している状態になるよう制御を行う。
【００６８】
ステップＳ４１またはステップＳ４９の後、ステップＳ４２において、制御部６５は、ステップＳ３８またはステップＳ４６において確認した他のレコーダの空き容量に基づき、空き容量の大きいレコーダにＲｅｃｏｒｄｉｎｇ  Ｄｅｖｉｃｅの論理アドレスを取得するよう、取得指示コマンドを送信する。第２実施形態では、制御部６５は、返答コマンド３２および３３に基づき、空き容量の大きいレコーダ４に取得指示コマンド３４を送信する。そして制御部６５は、論理アドレスを取得し直す制御を終了する。
【００６９】
なお、第２実施形態のその他の構成については、第１実施形態と同様である。
【００７０】
第２実施形態では、制御部６５により、ＨＤＤ６４の空き容量と、ＣＥＣリンク上のＰｌａｙｂａｃｋ  Ｄｅｖｉｃｅの論理アドレスまたはＴｕｎｅｒの論理アドレスの空き数と、ＣＥＣリンク上のＰｌａｙｂａｃｋ  Ｄｅｖｉｃｅの論理アドレスを取得している複数の他のレコーダの空き容量とに基づいて、複数の他のレコーダのうちの１つに対して、Ｒｅｃｏｒｄｉｎｇ  Ｄｅｖｉｃｅの論理アドレスの取得を指示する取得指示コマンド３４を送信するか否かを判断することにより、複数のレコーダのうちの空き容量がより大きいレコーダにＲｅｃｏｒｄｉｎｇ  Ｄｅｖｉｃｅの論理アドレスを取得させることができるので、ＣＥＣリンク上でレコーダを録画機器として有効に機能させることができる。
【００７１】
なお、第２実施形態のその他の効果については第１実施形態と同様である。
【００７２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７３】
たとえば、上記第１および第２実施形態では、Ｒｅｃｏｒｄｉｎｇ  Ｄｅｖｉｃｅの論理アドレスの上限が３つであるＣＥＣリンクにおいて、５台のレコーダを設ける例を示したが、本発明はこれに限らない。本発明では、Ｒｅｃｏｒｄｉｎｇ  Ｄｅｖｉｃｅの論理アドレスの上限よりも多い台数であれば、５台以外の台数であってもよい。
【００７４】
また、上記第１および第２実施形態では、ＨＤＤの空き容量が無い場合に、制御部により、Ｒｅｃｏｒｄｉｎｇ  Ｄｅｖｉｃｅの論理アドレスから、Ｐｌａｙｂａｃｋ  Ｄｅｖｉｃｅの論理アドレスまたはＴｕｎｅｒの論理アドレスを取得し直すよう制御する例を示したが、本発明はこれに限らない。本発明では、記憶部としてのＨＤＤの空き容量が所定値を下回る場合に制御部により、録画機能に対応した論理アドレスから録画機能に対応した論理アドレス以外の論理アドレスを取得し直すようにしてもよい。
【００７５】
また、上記第１実施形態では、レコーダをＣＥＣリンクに接続した際、ＨＤＤの空き容量が無い場合に、制御部により、Ｐｌａｙｂａｃｋ  Ｄｅｖｉｃｅの論理アドレスを取得するよう制御する例を示したが、本発明はこれに限らない。本発明では、レコーダをＣＥＣリンクに接続した際、記憶部としてのＨＤＤの空き容量が所定値を下回る場合に、制御部により、録画機能に対応した論理アドレス以外の論理アドレスを取得するようにしてもよい。
【００７６】
また、上記第１および第２実施形態では、論理アドレスを取得し直す際に、ＨＤＤの空き容量、Ｐｌａｙｂａｃｋ  Ｄｅｖｉｃｅの論理アドレスの空き数およびＴｕｎｅｒの論理アドレスの空き数に基づいて、制御部により、Ｒｅｃｏｒｄｉｎｇ  Ｄｅｖｉｃｅの論理アドレスから、Ｐｌａｙｂａｃｋ  Ｄｅｖｉｃｅの論理アドレスまたはＴｕｎｅｒの論理アドレスを取得し直すよう制御する例を示したが、本発明はこれに限らない。本発明では、論理アドレスを取得し直す際に、記憶部としてのＨＤＤの空き容量にのみ基づいて、制御部により、録画機能に対応した論理アドレスから録画機能に対応した論理アドレス以外の論理アドレスを取得し直すようにしてもよい。また、Ｔｕｎｅｒの論理アドレスに基づくことなく、記憶部としてのＨＤＤの空き容量およびＰｌａｙｂａｃｋ  Ｄｅｖｉｃｅの論理アドレスの空き数に基づいて、制御部により、録画機能に対応した論理アドレスから録画機能に対応した論理アドレス以外の論理アドレスを取得し直すようにしてもよい。
【００７７】
また、上記第１および第２実施形態では、録画動作終了後に、論理アドレスを取得し直す処理を実行する例を示したが、本発明はこれに限らない。たとえば、所定時間間隔で定期的に論理アドレスを取得し直す際の処理を実行してもよい。
【００７８】
また、上記第１および第２実施形態では、インターフェース規格としてＨＤＭＩ規格により各機器を接続している例を示したが、本発明はこれに限らない。本発明では、機器間を、音声データ、映像データおよび制御信号を伝送可能な所定のケーブルにより接続して、制御信号により機器間の連携動作を行うことが可能な所定のインターフェース規格であれば、ＨＤＭＩ規格以外のインターフェース規格であってもよい。
【００７９】
また、上記第１および第２実施形態では、本発明のネットワークの一例として、ＣＥＣリンクを示したが、本発明はこれに限らない。本発明では、所定のインターフェース規格により接続された複数の機器により構成され、機器の種類に対応した論理アドレスの数に対して機器の種類ごとに上限が決められているネットワークであれば、ＣＥＣリンク以外のネットワークでもよい。
【符号の説明】
【００８０】
１              ネットワークシステム
４、５          レコーダ（他の録画装置）
６、２０６      レコーダ（録画装置）
６３            ＨＤＭＩ通信部（通信部）
６４            ＨＤＤ（記憶部）
６５            制御部
【図１】
0005267533.tif 000002
【図２】
0005267533.tif 000003
【図３】
0005267533.tif 000004
【図４】
0005267533.tif 000005
【図５】
0005267533.tif 000006
【図６】
0005267533.tif 000007
【図７】
0005267533.tif 000008
【図８】
0005267533.tif 000009